(57)【要約】【課題】作業工程の簡素化を図り作業能率が高められ、隙間空間の密閉性の精度も向上できる遊技機用透明板ユニットを提供する。【解決手段】  窓口部１１を有する環状保持枠体１５と、環状保持枠体１５の両面に窓口部１１を塞ぎかつ中間に隙間空間Ｓが成形されるように取付けられる前後一対の透明板９を備え、遊技盤６の前面を覆う遊技機用透明板ユニット１０であって、環状保持枠体１５の内周面に設けられる挿入口２１から吸湿体２２を収容する収容室２３と、収容室２３の挿入口２１に嵌着される蓋体２４とを備え、蓋体２４は収容室２３と隙間空間Ｓとを連通させる通気孔２９が貫設されると共に環状保持枠体１５の厚さ方向に係止し得る係止片２７を有し、収容室２３の前後壁２３ａ，２３ｂには係止片２７が係止する係止部２８が貫通形成され、透明板９を環状保持枠体１５に固定することで収容室２３の係止部２８が透明板９により覆われ隙間空間Ｓが密閉される。【選択図】図５
2011000252.tif 000002
【特許請求の範囲】
【請求項１】
所定の大きさの窓口部を有する環状保持枠体と、前記環状保持枠体の両面に前記窓口部を密閉状に塞ぎかつ中間に隙間空間が成形されるようにして取付けられる前後一対の透明板とを備え、遊技盤の前面を覆う遊技機用透明板ユニットであって、
前記環状保持枠体に一体に設けられ該環状保持枠体の内周面に形成される挿入口から吸湿体を収容する収容室と、
前記収容室の挿入口に嵌着される蓋体とを備え、
前記蓋体は前記収容室と隙間空間とを連通させる通気孔が貫設されると共に前記環状保持枠体の厚さ方向に係止し得る係止片を有し、
前記収容室の前後壁には前記係止片が係止する係止部が貫通形成され、前記透明板を前記環状保持枠体に固定することで前記収容室の係止部が前記透明板により覆われることにより前記隙間空間を密閉できるようにしたことを特徴とする遊技機用透明板ユニット。
【請求項２】
前記係止部は前記蓋体を取付ける前に前記吸湿体を視認し得る位置に設けたことを特徴とする請求項１記載の遊技機用透明板ユニット。
【請求項３】
前記蓋体の収容室側に吸湿体を所定位置へ押さえ込む押え部を設けたことを特徴とする請求項１又は２記載の遊技機用透明板ユニット。
【発明の詳細な説明】
【技術分野】
【０００１】
本発明は、遊技盤の前面を覆う遊技機用透明板ユニットに関するものである。
【背景技術】
【０００２】
従来、遊技機の一種であるぱちんこ機の前面部に配置され遊技盤の前面を覆う透明板保持枠は、透明板間に水分や塵埃が混入するのを防止するため、環状枠体の前面側及び後面側に透明板としてのガラス板が接着して取り付けられ、両ガラス板の間に隙間空間が成形されている。また、隙間空間は水分を遮断した完全な密封構造を構築することが困難であること等の理由から、環状枠体に乾燥剤室が成形され、乾燥剤を入れて隙間空間内でガラス板に結露が発生しないようにしている。
【０００３】
また、その乾燥剤室は隙間空間に臨んで挿入口が設けられ、その挿入口に乾燥剤室と隙間空間とを連通させる通気孔が開設される被せ蓋が嵌着されている。そして、挿入口から乾燥剤室に乾燥剤を入れ、その挿入口に被せ蓋を嵌着し周縁に接着剤を塗布して密閉するようにしている（特許文献１参照）。
【先行技術文献】
【特許文献】
【０００４】
【特許文献１】特開２００６−１８１０８１号公報
【発明の概要】
【発明が解決しようとする課題】
【０００５】
しかしながら、背景技術に記載の透明板保持枠にあっては、乾燥剤室内に係止部が形成し難いため被せ蓋を接着剤により固着するなどガラス板の接着とともに接着工程が２工程となり、しかも、隙間ができないように接着剤を塗るなど慎重を要する作業が多いことから、時間が掛かり作業工程の簡素化が図れないという課題がある。また接着が中途半端であると、乾燥剤室の設置位置によっては被せ蓋が外れ、乾燥剤室内に収容された乾燥剤が隙間空間内に飛散することがあり、透明板保持枠を交換しなければならずホールにとって無駄な出費となり、遊技者が途中で遊技を中断する等遊技者に迷惑をかけることになる。
【０００６】
本発明は、上記実情に鑑みてなされたものであり、作業工程の簡素化を図り作業能率が高められ、また、隙間空間の密閉性の精度も向上できる遊技機用透明板ユニットを提供することにある。
【課題を解決するための手段】
【０００７】
上記目的を達成するために、本発明は、所定の大きさの窓口部を有する環状保持枠体と、前記環状保持枠体の両面に前記窓口部を密閉状に塞ぎかつ中間に隙間空間が成形されるようにして取付けられる前後一対の透明板とを備え、遊技盤の前面を覆う遊技機用透明板ユニットであって、前記環状保持枠体に一体に設けられ該環状保持枠体の内周面に形成される挿入口から吸湿体を収容する収容室と、前記収容室の挿入口に嵌着される蓋体とを備え、前記蓋体は前記収容室と隙間空間とを連通させる通気孔が貫設されると共に前記環状保持枠体の厚さ方向（前後方向）に係止し得る係止片を有し、前記収容室の前後壁には前記係止片が係止する係止部（係止孔）が貫通形成され、前記透明板を前記環状保持枠体に接着固定することで前記収容室の係止部が該透明板により覆われることにより前記隙間空間を密閉できるようにしたことを特徴とする。ここでいう「吸湿体」は、例えばシリカゲルや潮解性を利用した塩化カルシウム等の湿気を吸着除去するものであり、それらを例えば塊体・粒体・粉体とした乾燥剤（吸湿剤）を直接使用したり、通気性を有するケース体・袋体に充填（パッケージング）したもの、乾燥剤（吸湿剤）を含浸・含有したシート状のものを含み、形状・形態にとらわれるものではない。
【０００８】
上記構成により、蓋体が係止部に確実に固着され、しかも係止部は透明板で閉塞するため、係止部を蓋体や接着剤等で閉塞することなくガラス板を接着するだけで隙間空間を簡単に密閉することができる。
【０００９】
また、前記係止部は前記蓋体を取付ける前に前記吸湿体を視認し得る位置に設けたことを特徴とする。これにより、蓋体を取付ける前に係止部から吸湿体が簡単に視認でき、吸湿体の入れ忘れを確認することができる。
【００１０】
また、係止片は、前後方向に外向きの所定の大きさを有する爪部を備え、該爪部は、爪部を係合方向に投影してなる投影部の外縁の最大幅が係止部の内縁の最大幅より小となるようにして、蓋体を収容室に固着した状態で正面視して収容室内（吸湿体）が視認可能となるようにしてもよい。これにより、ガラス板を取付ける前であれば蓋体の係合を解除して蓋体を外し、吸湿体の挿入・交換が可能となる。
【００１１】
また、吸湿体としてシリカゲル等の乾燥剤に塩化コバルト等の乾湿指示薬を含有させ、係止部から吸湿体を視認したときに隙間空間の乾湿状態を確認することができる。例えば、乾湿指示薬として塩化コバルトを使用した場合には、青色から赤色（ピンク色）に変色する。このように、係止部から吸湿体を視認して隙間空間の乾湿状態を確認できることで、透明板ユニットの交換又は使用寿命を判断して再利用の可否を決めることができる。このとき、吸湿体は透明フィルム（樹脂フィルム）の袋体に通気穴を設けたものに乾燥剤と乾湿指示薬を封入するのがよい。
【００１２】
また、前記蓋体の収容室側に吸湿体を所定位置へ押さえ込む押え部を設けたことを特徴とする。これにより、吸湿体の隙間空間方向への移動が規制され安定した状態で収容される。
【００１３】
また、係止片を蓋体の長さ方向（環状保持枠体の周方向）に複数設け、この複数の係止片間に吸湿体を設けるようするとよい。これにより、係止片が吸湿体の位置決めとなる。
【００１４】
また、係止片を蓋体の幅方向（前後方向）に対となるように設けるのがよい。これにより、蓋体を強固に取り付けることができる。
【００１５】
また、係止片により吸湿体を仮保持するようにするのがよく、蓋体を取付けると同時に吸湿体を収容室に収容することができ、作業性を向上させることができる。例えば仮保持は吸湿体を予め係止片間で挟持するようにすればよい。なお、吸湿体を保持する保持部を係止片又は蓋体本体（板状部）に設けるようにしてもよい。例えば保持部は吸湿体を引っ掛ける掛止部である。
【発明の効果】
【００１６】
本発明によれば、吸湿体を収容する収容室の挿入口を閉塞する蓋体が係止する係止部の開口は透明板によって覆われるため、係止部の開口部を塞ぐための蓋部材または接着剤による密閉作業が不要となり、部品点数の削減及び作業工程の簡素化に貢献し得る。
【図面の簡単な説明】
【００１７】
【図１】ぱちんこ機の斜視図である。
【図２】前枠の背面斜視図である。
【図３】透明板ユニットの背面図である。
【図４】透明板ユニットの分解斜視図である。
【図５】収容室部の要部分解斜視図である。
【図６】図３のＡ−Ａ線断面図である。
【発明を実施するための形態】
【００１８】
以下に本発明を図面を参照して説明する。遊技機としてのぱちんこ機１は、図１に示すように、そのぱちんこ機１の外郭を形成する額縁状の外枠２を備え、その外枠２の前面にヒンジ３により一側（ぱちんこ機１を正面視して左側）を枢支して、その前面側に向かって片開き可能に内枠４が支持されている。内枠４には、ガイドレール５により遊技領域６ａが形成された遊技盤６が装着されている。また、内枠４の前面にその内枠４の横幅寸法と略同じ横幅寸法を有するように構成され、遊技盤６の遊技領域６ａを視認し得る窓部７を備えた前枠８がヒンジにより開閉自在に設けられている。
【００１９】
前枠８は、図２に示すように裏面側に窓部７に対応して透明板（ガラス板９）が透明板ユニット１０として取り付けられている。前枠８には、透明板ユニット１０が取り付けられる取付凹部１２が形成され、その取付凹部１２の所定箇所（斜め左右上下外側に４個所）に透明板ユニット１０を固定する係止レバー１７が回動自在に設けられている。透明板ユニット１０は、図３及び図４に示すように所定の大きさ（遊技領域６ａより大）の窓口部１１を有する樹脂製の環状保持枠体１５と、環状保持枠体１５の前後に取付ける（接着される）一対の透明板としてのガラス板９，９とで大略構成され、ガラス板９，９間に隙間空間Ｓが形成されている。
【００２０】
環状保持枠体１５は、窓口部１１が下部を直線状として上部が曲線状となる略馬蹄形状をしており、斜め左右上下外側に透明板ユニット１０を前枠８裏面に取り付けるための係止片部１６が突出形成されている。係止片部１６には、前枠８に設けられる係止レバー１７を回動規制する規制リブ１８と係止レバー１７の下面に形成される突起（図示せず）が嵌る位置決め凹部１９が設けられている。また、環状保持枠体１５の前後両面部には、ガラス板９を嵌め込み当接させる当接段部２０が周設されており、この当接段部２０にガラス板９を当接させて接着剤（ホットメルト系接着剤）で接着したときに、透明板ユニット１０の厚さ（幅）寸法内に２枚のガラス板９，９が収納された状態となる。なお、当接段部２０は、詳しくは図６に示すようにリブにより接着剤が充填される浅い溝部が形成されており、ガラス板９が直接当接しない部位がある。
【００２１】
また、環状保持枠体１５には、図３乃至図５に示すように、上部の環状内周面に開口して設けられる挿入口２１から内部に乾燥剤等の吸湿体２２を収容（封入）する略長方形状の収容室２３が環状保持枠体１５の外方に突出するように一体に設けられ、挿入口２１は矩形板状の蓋体２４が嵌着係止される。この収容室２３の内部には蓋体２４を位置決めする段部２５が形成されており、蓋体２４と環状保持枠体１５の内周面が略同一面となるようにしている。また、収容室２３の前後壁２３ａ，２３ｂには、ガラス板９を嵌め込み当接させる当接段部２６が環状保持枠体１５の当接段部２０と連続して周設されており、さらに後述する蓋体２４の係止片２７が係止する係止部として、ガラス板９と相対する方向（前後方向）に４個所の係止孔２８が当接段部２６の内側に貫通形成されている。つまり、蓋体２４を取付ける前において、係止孔２８から収容室２３の内部が視認可能となっており、言い換えれば係止孔２８は吸湿体２２を視認し得る位置に設けられている。このように、蓋体２４を係止する係止部（係止孔２８）が収容室２３の前後壁２３ａ，２３ｂを貫通するだけで簡単に形成することができる。また、この実施例のガラス板９は環状保持枠体１５と略同じ形状をしており、収容室２３を覆う部位が突出した形状をしている。そして、吸湿体２２は、例えば通気性を有する和紙，不織布製の袋体又は樹脂フィルムに通気穴を設けた袋体にシリカゲル等の乾燥剤を充填（パッケージング）したものであり、実施例では収容室２３が略充満する大きさである。
【００２２】
蓋体２４は、図５及び図６に示すように挿入口２１を閉塞する板状部２４ａに隙間空間Ｓと連通する複数の通気孔２９が形成され、収容室２３は通気孔２９を介して隙間空間Ｓと連通する。そして、板状部２４ａの裏面（収容室２３側）外周に吸湿体２２を所定位置へ押さえ込む押えリブ３０を周設しており、板状部２４ａの強度を高めると共に、吸湿体２２と板状部２４ａの間に空間ができ吸湿効果を高めることができる。また、押えリブ３０から延設して幅方向（前後方向）に外向きの所定の大きさを有する爪部２７ａを備えた係止片２７が板状部２４ａの幅方向及び長さ方向に夫々一対設けられている。爪部２７ａは、外側に係止片２７を撓ませるために先端に向かって内向きの傾斜面を有している。なお、爪部２７ａは、爪部２７ａを係合方向に投影してなる投影部の外縁の最大幅が係止部（係止孔２４）の内縁の最大幅より小となるようにして、蓋体２４を収容室２３に固着した状態で正面視して収容室２３内が視認可能となるようにしてもよく、万一何かの手違いで吸湿体２２を入れ忘れて蓋体２４を取付けたとしても、ガラス板９を取付ける前に係止孔２８から収容室２３に収容された吸湿体２２を視認することができるため、吸湿体２２の入れ忘れを確認することができる。そして、吸湿体２２の入れ忘れが確認された場合には、係止爪２７ａを収容室２３内に押え込んで係止孔２８との係合を解除することで蓋体２４を取り外すことができ、吸湿体２２を入れ直すことができる。
【００２３】
透明板ユニット１０の組付けは、環状保持枠体１５の収容室２３の挿入口２１から吸湿体２２を挿入し、挿入口２１を閉塞するように蓋体２４を嵌着し、係止片２７の爪部２７ａが係止孔２８に係止して吸湿体２２を収容室２３に封入する。このとき、係止孔２８から吸湿体２２を確認して蓋体２４を取付けることができるので、吸湿体２２を入れ忘れることがない。そして、蓋体２４は収容室２３の段部２５によって位置決めされ、撓み等が規制されており、吸湿体２２は蓋体２４の係止片２７，２７間に位置して押えリブ３０により押えられて安定している。そして、環状保持枠体１５の当接段部２０，２６に接着剤を塗布してガラス板９を当接段部２０，２６に当接させて接着することで組付けが完了する。このとき、収容室２３に形成された係止孔２８が当接段部２６より内側にあるため、ガラス板９を接着すると同時に係止孔２８がガラス板９により閉塞され、隙間空間Ｓが完全に密閉した状態となる（図６参照）。従って、隙間空間Ｓ内の空気は、収容室２３内の吸湿体２２により確実に除湿され乾燥状態とすることができ、透明板ユニット１０（ガラス板９）の結露等を防止することができる。なお、複数設けられる係止片２７により吸湿体２２を挟み込んで仮保持するようにしてもよく、蓋体２４を取付けると同時に吸湿体２２を収容室２３に収容することができ、作業性を向上させることができる。なお、吸湿体２２を保持する保持部を係止片２７又は蓋体２４の板状部２４ａに直接設けるようにしてもよい。例えば保持部は吸湿体２２を引っ掛ける掛止部であればよい。
【００２４】
次に、透明板ユニット１０を前枠８に取付けるには、図２に示すように透明板ユニット１０を前枠８の取付凹部１２に嵌めた状態で、係止レバー１７を係止位置すなわち係止レバー１７が規制リブ１８に当接する位置まで回動して係止片部１６をそれぞれ押圧固定する。このように、係止レバー１７を回動するだけで透明板ユニット１０が前枠８に簡単に取付けることができる。透明板ユニット１０を取り外す場合は、逆に係止レバー１７を解除位置すなわち係止レバー１７が係止片部１６の押圧状態を回避する位置まで回動して係止片部１６との係合を解除することで透明板ユニット１０を簡単に取り外すことができる。
【００２５】
なお、収容室２３を環状保持枠体１５の外形に沿った形状とすることで、ガラス板９の形状を特殊な形状とすることなく汎用性の高いものとすることができる。
【００２６】
なお、収容室２３は、環状保持枠体１５の上下左右斜めのいずれの部位に突出するように形成してもよい。また、環状保持枠体１５に２枚目のガラス板９を取り付ける際に、両ガラス板９，９間の空気が圧縮される。その隙間空間Ｓの圧縮空気を逃がすための通孔（小孔）を環状保持枠体１５に貫通形成してもよい。そして、通孔（小孔）から圧縮空気を逃がして環状保持枠体１５にガラス板９が固着された後、通孔（小孔）に接着剤を充填することにより閉鎖し隙間空間Ｓが気密状態とされるようにすればよい。また、係止孔２８により吸湿体２２を視認できるようにしたが、収容室２３の前後壁２３ａ，２３ｂに吸湿体２２を確認するための覗き窓として窓孔を貫通形成するようにしてもよく、吸湿体２２が直接的に確認することができる。
【００２７】
また、吸湿体２２としてシリカゲル等の乾燥剤に塩化コバルト等の乾湿指示薬を含有させ、係止孔２８から吸湿体２２を視認したときに隙間空間Ｓの乾湿状態を確認することができる。例えば、乾湿指示薬として塩化コバルトを使用した場合には、青色から赤色（ピンク色）に変色する。このように、係止孔２８から吸湿体２２を視認して隙間空間Ｓの乾湿状態を確認できることで、透明板ユニット１０の交換又は使用寿命を判断して再利用の可否を決めることができる。このとき、吸湿体２２は透明フィルムの袋体に通気穴を設けたものに乾燥剤と乾湿指示薬を封入するのがよい。
【００２８】
なお、上記実施例において、遊技機としてぱちんこ機を例に説明したが、雀球遊技機，アレンジボール式遊技機、さらに回胴式又は画像式のスロット遊技機等にも本発明を適用することができる。また、実施例に示した内容に限定されるものではなく、この発明の要旨を逸脱しない範囲で、種々の形態を実施し得るものである。
【符号の説明】
【００２９】
１        ぱちんこ機（遊技機）
６        遊技盤
８        前枠
９        ガラス板（透明板）
１０      透明板ユニット
１１      窓口部
１５      環状保持枠体
２０      当接段部
２１      挿入口
２２      吸湿体
２３      収容室
２３ａ    前壁
２３ｂ    後壁
２４      蓋体
２４ａ    板状部
２５      段部
２６      当接段部
２７      係止片
２７ａ    爪部
２８      係止孔（係止部）
２９      通気孔
３０      押えリブ（押え部）
Ｓ        隙間空間
【図１】
2011000252.tif 000003
【図２】
2011000252.tif 000004
【図３】
2011000252.tif 000005
【図４】
2011000252.tif 000006
【図５】
2011000252.tif 000007
【図６】
2011000252.tif 000008